(57)【要約】  プラガブル光モジュールにおいて、複数の光部品が実装される筐体内に、光部品接続用の光ファイバをコンパクトに収容する。プラガブル光モジュール（１００）は、光ファイバ収容部（３）、光ファイバ収容部（４）及び筐体（１０）を有する。光ファイバ収容部（３）は、光部品（５）と接続される光ファイバ（Ｆ１）を収容可能に構成される。光ファイバ収容部（４）は、光部品（６）と接続される光ファイバ（Ｆ２）を収容可能に構成される。筐体（１０）は、光ファイバ収容部（３）及び光ファイバ収容部（４）を収容可能に構成される。プラガブル光モジュール（１００）は、光通信装置に対して挿抜可能に構成され、かつ、筐体（１０）によって外形が構成される。
2019044442.tif 000002
【特許請求の範囲】
【請求項１】
第１の光部品と接続される第１の光ファイバを収容可能に構成される第１の光ファイバ収容手段と、
第２の光部品と接続される第２の光ファイバを収容可能に構成される第２の光ファイバ収容手段と、
前記第１の光ファイバ収容手段及び前記第２の光ファイバ収容手段を収容可能な収容構造を有する筐体と、を備え、
光通信装置に対して挿抜可能に構成され、かつ、前記筐体によって外形が構成される、
プラガブル光モジュール。
【請求項２】
前記第１の光ファイバ収容手段及び前記第２の光ファイバ収容手段の一方又は両方は、収容される光ファイバの余長を収容するように構成される光ファイバ収容手段である、
請求項１に記載のプラガブル光モジュール。
【請求項３】
前記第１の光ファイバ収容手段及び前記第２の光ファイバ収容手段の一方又は両方は、前記筐体と接触し、かつ、接触部が前記筐体に固定される、
請求項２に記載のプラガブル光モジュール。
【請求項４】
前記光ファイバ収容手段は、前記収容される光ファイバが所定の経路に沿って曲げられて収容されるように構成される、
請求項２又は３に記載のプラガブル光モジュール。
【請求項５】
前記光ファイバ収容手段は、前記収容される光ファイバが所定の経路に沿って１回以上周回することで収容されるように構成される、
請求項４に記載のプラガブル光モジュール。
【請求項６】
前記光ファイバ収容手段は、前記収容される光ファイバに設けられた接続部を収納する収納部を備える、
請求項２乃至４のいずれか一項に記載のプラガブル光モジュール。
【請求項７】
前記光ファイバ収容手段は、前記収容される光ファイバが所定の経路に沿って１回以上周回することで収容されるように構成され、
前記収納部は、前記収容される光ファイバに対して、周回の軸方向に重なるように設けられる、
請求項６に記載のプラガブル光モジュール。
【請求項８】
前記収納部は、前記収容される光ファイバの周回の軸方向に垂直な面と平行な方向に延在して構成される、
請求項６又は７に記載のプラガブル光モジュール。
【請求項９】
前記光ファイバ収容手段が収容する光ファイバは、ＥＤＦＡを構成する光ファイバである、
請求項２乃至８のいずれか一項に記載のプラガブル光モジュール。
【請求項１０】
前記筐体の内部で引き回される光ファイバをガイドするガイド治具を更に備える、
請求項１乃至９のいずれか一項に記載のプラガブル光モジュール。
【請求項１１】
前記ガイド治具は、前記第１の光ファイバ収容手段及び前記第２の光ファイバ収容手段の一方又は両方に対して、物理的に固定可能に構成される、
請求項１０に記載のプラガブル光モジュール。
【請求項１２】
前記ガイド治具は、前記筐体に固定可能な前記筐体と物理的に分離された部材として構成され、又は、前記筐体の一部として前記筐体と一体的に構成される、
請求項１０又は１１に記載のプラガブル光モジュール。
【請求項１３】
前記第１の光ファイバ収容手段及び前記第２の光ファイバ収容手段は、光ファイバが収容された面が、前記筐体内に設けられる光部品に向かないように、前記筐体内に配置される、
請求項１乃至１２のいずれか一項に記載のプラガブル光モジュール。
【請求項１４】
光ファイバが挿抜可能に構成され、前記光ファイバを介して光信号の送受信が可能に構成されるプラガブル光モジュールと、
前記プラガブル光モジュールが挿抜可能に構成される光通信装置と、を備え、
前記プラガブル光モジュールは、
第１の光部品と接続される第１の光ファイバを収容可能に構成される第１の光ファイバ収容手段と、
第２の光部品と接続される第２の光ファイバを収容可能に構成される第２の光ファイバ収容手段と、
前記第１の光ファイバ収容手段及び前記第２の光ファイバ収容手段を収容可能な収容構造を有する筐体と、を備え、
前記筐体によって外形が構成される、
光通信システム。
【請求項１５】
前記第１の光ファイバ収容手段及び前記第２の光ファイバ収容手段の一方又は両方は、収容される光ファイバの余長を収容するように構成される光ファイバ収容手段である、
請求項１４に記載の光通信システム。
【請求項１６】
前記第１の光ファイバ収容手段及び前記第２の光ファイバ収容手段の一方又は両方は、前記筐体と接触し、かつ、接触部が前記筐体に固定される、
請求項１５に記載の光通信システム。
【請求項１７】
前記光ファイバ収容手段は、前記収容される光ファイバが所定の経路に沿って曲げられて収容されるように構成される、
請求項１５又は１６に記載の光通信システム。
【請求項１８】
前記光ファイバ収容手段は、前記収容される光ファイバが所定の経路に沿って１回以上周回することで収容されるように構成される、
請求項１７に記載の光通信システム。
【請求項１９】
前記光ファイバ収容手段は、前記収容される光ファイバに設けられた接続部を収納する収納部を備える、
請求項１５乃至１７のいずれか一項に記載の光通信システム。
【請求項２０】
前記光ファイバ収容手段は、前記収容される光ファイバが所定の経路に沿って１回以上周回することで収容されるように構成され、
前記収納部は、前記収容される光ファイバに対して周回の軸方向で重なるように設けられる、
請求項１９に記載の光通信システム。
【請求項２１】
前記収納部は、前記収容される光ファイバの周回の軸方向に垂直な面と平行な方向に延在して構成される、
請求項１９又は２０に記載の光通信システム。
【請求項２２】
前記光ファイバ収容手段が収容する光ファイバは、ＥＤＦＡを構成する光ファイバである、
請求項１５乃至２１のいずれか一項に記載の光通信システム。
【請求項２３】
前記筐体の内部で引き回される光ファイバをガイドするガイド治具を更に備える、
請求項１４乃至２２のいずれか一項に記載の光通信システム。
【請求項２４】
前記ガイド治具は、前記第１の光ファイバ収容手段及び前記第２の光ファイバ収容手段の一方又は両方に対して、物理的に固定可能に構成される、
請求項２３に記載の光通信システム。
【請求項２５】
前記ガイド治具は、前記筐体に固定可能な前記筐体と物理的に分離された部材として構成され、又は、前記筐体の一部として前記筐体と一体的に構成される、
請求項２３又は２４に記載の光通信システム。
【請求項２６】
前記第１の光ファイバ収容手段及び前記第２の光ファイバ収容手段は、光ファイバが収容された面が、前記筐体内に設けられる光部品に向かないように、前記筐体内に配置される、
請求項１４乃至２５のいずれか一項に記載の光通信システム。
【発明の詳細な説明】
【技術分野】
【０００１】
本発明は、プラガブル光モジュール及び光通信システムに関する。
【背景技術】
【０００２】
光通信システムにおいては、光信号の送受信に用いられる光モジュール（例えば、特許文献１）が搭載される。こうした光モジュールの中でも、プラガブル光モジュール（例えば、ＳＦＰ：Small Form-factor Pluggable、ＸＦＰ：Ten (X) gigabit small Form-factor Pluggable、ＣＦＰ２：C Form-factor Pluggable 2）では、複数の部品が比較的狭小な筐体内に実装される。特に、デジタルコヒーレント通信において用いられるプラガブル光モジュールでは、より多くの光部品が実装され、これらの光部品は、筐体に引き回された接続用の光ファイバで接続される（例えば、特許文献２及び３）。
【先行技術文献】
【特許文献】
【０００３】
【特許文献１】特開平１０−７９５４２号公報
【特許文献２】特開２０１６−８２５９１号公報
【特許文献３】特開２０１６−８２５９０号公報
【発明の概要】
【発明が解決しようとする課題】
【０００４】
ところが、発明者は、上述のデジタルコヒーレント通信に用いられるプラガブル光モジュールには、以下に示す問題点があることを見いだした。デジタルコヒーレント通信に用いられる送受信機能を有するプラガブル光モジュールでは、光源、変調器、受信器などの種々の光部品が搭載され、これらの光部品間が光ファイバで接続される。したがって、規格において寸法が定められたプラガブル光モジュールの比較的狭小な筐体に、複数の光部品と複数の光ファイバとを実装する必要がある。特に近年、送信光信号の光パワーを確保するため、プラガブル光モジュールにＥＤＦＡ（Erbium Doped optical Fiber Amplifier：エルビウム添加光ファイバ増幅器）のような比較的大規模な部品を実装する需要も起こりつつある。【０００５】
プラガブル光モジュールに対する小型化に伴い、光部品の小型化及び光部品実装の高密度化が求められており、光部品及び光ファイバの筐体内への収容を実現するための設計、及び、プラガブル光モジュールの製造工程の複雑化、高度化を招いてしまう。【０００６】
また、プラガブル光モジュールの筐体内における光部品実装の高度化により、筐体内の部品間の狭い空間に光ファイバを引き回して固定しなければならない。しかし、光ファイバの曲げには制限が有るので、その制限を超えて曲げてしまうと、光ファイバが破損してしまう。更に、無理に光ファイバを筐体に収めようとすると、光ファイバと光部品とが干渉し、光ファイバが傷ついたり、断線したりといった故障が生じるおそれもある。【０００７】
本発明は、上記の事情に鑑みて成されたものであり、プラガブル光モジュールにおいて、複数の光部品が実装される筐体内に、光部品接続用の光ファイバをコンパクト且つ容易に収容することを目的とする。
【課題を解決するための手段】
【０００８】
本発明の一態様であるプラガブル光モジュールは、第１の光部品と接続される第１の光ファイバを収容可能に構成される第１の光ファイバ収容手段と、第２の光部品と接続される第２の光ファイバを収容可能に構成される第２の光ファイバ収容手段と、前記第１の光ファイバ収容手段及び前記第２の光ファイバ収容手段を収容可能な収容構造を有する筐体と、を有し、光通信装置に対して挿抜可能に構成され、かつ、前記筐体によって外形が構成されるものである。【０００９】
本発明の一態様である光通信システムは、光ファイバが挿抜可能に構成され、前記光ファイバを介して光信号の送受信が可能に構成されるプラガブル光モジュールと、前記プラガブル光モジュールが挿抜可能に構成される光通信装置と、を有し、前記プラガブル光モジュールは、第１の光部品と接続される第１の光ファイバを収容可能に構成される第１の光ファイバ収容手段と、第２の光部品と接続される第２の光ファイバを収容可能に構成される第２の光ファイバ収容手段と、前記第１の光ファイバ収容手段及び前記第２の光ファイバ収容手段を収容可能な収容構造を有する筐体と、を有し、前記筐体によって外形が構成されるものである。
【発明の効果】
【００１０】
本発明によれば、プラガブル光モジュールにおいて、複数の光部品が実装される筐体内に、光部品接続用の光ファイバをコンパクト且つ容易に収容することができる。
【図面の簡単な説明】
【００１１】
【図１】実施の形態１にかかるプラガブル光モジュールを光ファイバの差込側から見た場合の斜視図である。
【図２】実施の形態１にかかるプラガブル光モジュールを光通信装置側から見た場合の斜視図である。
【図３】実施の形態１にかかるプラガブル光モジュールの内部構造の一例を模式的に示す斜視図である。
【図４】光ファイバ収容部の構成を模式的に示す斜視図である。
【図５】光ファイバ収容部の光ファイバの収容態様を示す斜視図である。
【図６】光ファイバ収容部の構成を模式的に示す上面図である。
【図７】実施の形態１にかかる光通信システム１０００の構成を模式的に示すブロック図である。
【図８】実施の形態２にかかるプラガブル光モジュールの構成を模式的に示すブロック図である。
【図９】実施の形態３にかかる光ファイバ収容部の構成を模式的に示す斜視図である。
【図１０】実施の形態３にかかる光ファイバ収容部の光ファイバの収容態様を示す斜視図である。
【図１１】光ファイバ収容部の変形例の構成を模式的に示す斜視図である。
【図１２】光ファイバ収容部の変形例の構成を模式的に示す斜視図である。
【図１３】実施の形態４にかかるプラガブル光モジュールの内部構造を模式的に示す斜視図である。
【図１４】実施の形態４にかかるプラガブル光モジュールの変形例の内部構造を模式的に示す斜視図である。
【発明を実施するための形態】
【００１２】
以下、図面を参照して本発明の実施の形態について説明する。各図面においては、同一要素には同一の符号が付されており、必要に応じて重複説明は省略される。
【００１３】
実施の形態１
実施の形態１にかかるプラガブル光モジュール１００について説明する。プラガブル光モジュール１００は、コネクタ付きの光ファイバのコネクタ部が挿抜可能に構成される。また、プラガブル光モジュール１００は、例えば外部の光通信装置に挿抜可能に構成される。
【００１４】
まず、プラガブル光モジュール１００の外観について説明する。図１は、実施の形態１にかかるプラガブル光モジュール１００を光ファイバの差込側から見た場合の斜視図である。図１に示す符号１００Ａは、プラガブル光モジュール１００の上面を示す。図１に示す符号１００Ｂは、コネクタ付光ファイバのコネクタの差込口を示す。図２は、実施の形態１にかかるプラガブル光モジュール１００を光通信装置側から見た場合の斜視図である。図２に示す符号１００Ｃは、プラガブル光モジュール１００の下面を示す。図２に示す符号１００Ｄは、外部の光通信装置との接続部を示す。
【００１５】
続いて、プラガブル光モジュール１００の基本的な内部構造について説明する。図３は、実施の形態１にかかるプラガブル光モジュール１００の内部構造の一例を模式的に示す斜視図である。図３は、筐体１０の下面（図２の符号１００Ｃ）のカバーを取り外して光通信装置側から見た場合のプラガブル光モジュール１００の内部構造を示している。
【００１６】
図３に示すように、プラガブル光モジュール１００の外形となる筐体１０内部には、種々の光部品、プリント回路基板等が設けられる。筐体１０内に設けられた光部品は、光ファイバによって光学的に接続される。また、筐体１０内部で引き回される光ファイバの余長を収容するための光ファイバ収容手段として、光ファイバ収容部が設けられる。
【００１７】
図３の例では、筐体１０内部に、プリント回路基板７が収納されている。図示しないが、プリント回路基板７の上面（Ｚ＋側の面）には、種々の光部品が実装されてもよい。プリント回路基板７の下方（Ｚ−側）には、光部品５（第１の光部品とも称する）と光部品６（第２の光部品とも称する）とが設けられる。光部品５及び６としては、光源、光変調器、光受信器、プラガブル電気コネクタ、プラガブル光レセプタ、エルビウム添加光ファイバ増幅器（Erbium Doped optical Fiber Amplifier：ＥＤＦＡ）等の各種の光部品が含まれ、かつ、プリント回路基板７に実装される光部品も含まれる。なお、図３の例では、インターフェース部品の具体例として、プラガブル電気コネクタ１及びプラガブル光レセプタ２を表示している。
【００１８】
光ファイバ収容部３（第１の光ファイバ収容部又は第１の光ファイバ収容手段とも称する）と光ファイバ収容部４（第２の光ファイバ収容部又は第２の光ファイバ収容手段とも称する）とは、プレート状の部材として構成され、筐体１０内部の下面側（Ｚ−側の部分）に収納されている。光ファイバ収容部３は、例えば光部品５と他の光部品であるプラガブル光レセプタ２とを接続する光ファイバＦ１の余長を収納するように設けられる。光ファイバ収容部４は、例えば光部品６と他の光部品であるプラガブル光レセプタ２とを接続する光ファイバＦ２の余長を収納するように設けられる。
【００１９】
光ファイバ収容部３及び４は、側面の一部が筐体１０の内面に接触するように構成され、接触部が筐体１０に固定されることで、光ファイバ収容部３及び４の位置が固定される。例えば、光ファイバ収容部３及び４の側面の形状が筐体１０の内面に沿って嵌め込み可能な段差構造やくぼみ構造を有しており、当該嵌め込み可能な構造により固定されてもよい。この場合、筐体１０側にも光ファイバ収容部３及び４の側面の形状に応じた構造が形成される。また、例えば、光ファイバ収容部３及び４には貫通孔が設けられ、筐体１０に設けられたビス穴が設けられ、この貫通孔とビス穴にビスを螺入することで、光ファイバ収容部３及び４を筐体１０に固定してもよい。なお、光ファイバ収容部３及び４の固定方法はビスに限られるものではなく、種々の固定方法を用いてもよいことは言うまでもない。
【００２０】
これにより、光ファイバＦ１及びＦ２の余長が、それぞれ光ファイバ収容部３及び４に収容される。よって、光ファイバ収容部３及び４を経由する光ファイバＦ１及びＦ２が他の光部品やプリント回路基板７と干渉することを防止でき、その結果、光ファイバＦ１及びＦ２の破損を防止できる。なお、以下では、光ファイバＦ１を第１の光ファイバとも称し、光ファイバＦ２を第２の光ファイバとも称する。
【００２１】
この例では、図３に示すように、光ファイバ収容部３及び４は、筐体１０内部において、他の光部品や、他の部品が実装されたプリント回路基板７の下方（Ｚ−側）に配置される。この場合、光ファイバ収容部３及び４は、光ファイバ収容部３及び４の光ファイバが収容された面が他の光部品やプリント回路基板７に向かないように配置されることが望ましい。これにより、光ファイバＦ１及びＦ２が他の光部品やプリント回路基板７と干渉するのをより確実に避けることができるので、光ファイバＦ１及びＦ２の破損をより確実に防止することができる。
【００２２】
なお、図３は例示に過ぎず、光ファイバの破損が防止できるならば、光ファイバ収容部３及び４の光ファイバが収容される面の向きは、上側（Ｚ＋側）でも下側（Ｚ−側）でもよい。また、光ファイバの破損が防止できるならば、プリント回路基板の光部品などが実装される面の向きは、上側（Ｚ＋側）でも下側（Ｚ−側）でもよい。
【００２３】
図３に示すプラガブル光モジュール１００の内部構造は、理解を容易にするために簡略化して示したものであり、この例に限られるものではない。図３では、光部品の例として光部品５及び６を挙げたが、これは例示に過ぎず、筐体１０内部には光部品５及び６以外の１又は複数の他の光部品が設けられてもよく、設けられる位置はプリント回路基板７の上側（Ｚ＋側）でも下側（Ｚ−側）よい。また、図３では、プリント回路基板の例としてプリント回路基板７を挙げたが、これは例示に過ぎず、筐体１０内部にはプリント回路基板７以外の１又は複数の他のプリント回路基板が設けられてもよい。さらに、光ファイバＦ１及びＦ２以外にも、筐体１０内部の光部品間を接続する１又は複数の光ファイバが設けられてもよい。光ファイバ収容部３は、光ファイバＦ１だけでなく、光ファイバＦ１以外の、光ファイバＦ２を含む１又は複数の他の光ファイバを収容してもよい。光ファイバ収容部４は、光ファイバＦ２だけでなく、光ファイバＦ２以外の、光ファイバＦ１を含む１又は複数の他の光ファイバを収容してもよい。
【００２４】
続いて、光ファイバ収容部３の構成について説明する。図４は、光ファイバ収容部３の構成を模式的に示す斜視図である。光ファイバ収容部３は、プレート状の部材として構成され、プレート部材３０上に、光ファイバをガイドするガイドＧ３１及びＧ３２を有する。ガイドＧ３１及びＧ３２は、Ｙ方向を長手方向とし、Ｘ方向に並列して配置される。光ファイバは、このガイドＧ３１及びＧ３２の外周に沿って曲げられ、又は、外周に沿って周回することで、光ファイバ収容部３に収容される。
【００２５】
図５は、光ファイバ収容部３の光ファイバの収容態様を示す斜視図である。図５に示すように、ガイドＧ３１及びＧ３２を囲む経路に沿って１回以上周回することで、光ファイバＦが収容される。ここで示した光ファイバＦは、例えば上述の光ファイバＦ１、又は、光ファイバＦ１を含む複数本のファイバの集合体である。なお、光ファイバはガイドＧ３１及びＧ３２を囲む経路を周回する必要はなく、当該経路の一部に沿って曲げられて収容されてもよい。
【００２６】
光ファイバＦは、周回の径方向及び軸方向において重複するように巻き取られて収容されてもよい。これにより、光ファイバＦの周回数を多くすることができるので、光ファイバ収容部３の限定された空間に、多数本のかつ長寸法の光ファイバを効率よく収納することができる。
【００２７】
続いて、光ファイバ収容部４の構成について説明する。図６は、光ファイバ収容部４の構成を模式的に示す上面図である。光ファイバ収容部４は、プレート部材４０に設けられた、円形ガイドＧ４１及びＧ４２、ガイドＧ４３及びＧ４４を有する。円形ガイドＧ４１及びＧ４２は、それぞれ四角形の対角の位置に設けられる。ガイドＧ４３及びＧ４４は、それぞれ、円形ガイドＧ４１及びＧ４２が設けられた位置とは異なる四角形の対角の位置に設けられる。円形ガイドＧ４１及びＧ４２は、光ファイバを巻き取ることができる。また、光ファイバは、ガイドＧ４３及びＧ４４の曲線部分に沿って曲げられる。
【００２８】
図６に示すように、光ファイバは、円形ガイドＧ４１の外周からガイドＧ４３の曲線部分を経て、円形ガイドＧ４２の外周に到達する経路を通ることが可能である（当然ながら、光ファイバは、この逆方向の経路を通ることも可能である）。光ファイバは、円形ガイドＧ４１の外周からガイドＧ４４の曲線部分を経て、円形ガイドＧ４２の外周に到達する経路を通ることが可能である（当然ながら、光ファイバは、この逆方向の経路を通ることも可能である）。
【００２９】
図６に示す光ファイバＦは、例えば上述の光ファイバＦ２、又は、光ファイバＦ２を含む複数本のファイバの集合体である。粗いハッチング部は、ガイドの上面及びガイドの上面と同じ高さの面を示す。細かいハッチング部は、ガイドの上面よりも低い、光ファイバが通る凹部の底面を示す。
【００３０】
また、光ファイバを、円形ガイドＧ４２とガイドＧ４３との間を通って、円形ガイドＧ４１及びＧ４２、ガイドＧ４４へ引き回すことができる（当然ながら、光ファイバは、この逆方向の経路を通ることも可能である）。光ファイバを、円形ガイドＧ４２とガイドＧ４３との間を通って、円形ガイドＧ４１及びＧ４２、ガイドＧ４４へ引き回すことができる（当然ながら、光ファイバは、この逆方向の経路を通ることも可能である）。光ファイバを、円形ガイドＧ４１とガイドＧ４４との間を通って、円形ガイドＧ４１及びＧ４２、ガイドＧ４３へ引き回すことができる（当然ながら、光ファイバは、この逆方向の経路を通ることも可能である）。光ファイバを、円形ガイドＧ４２とガイドＧ４３との間を通って、円形ガイドＧ４１及びＧ４２、ガイドＧ４３へ引き回すことができる（当然ながら、光ファイバは、この逆方向の経路を通ることも可能である）。
【００３１】
また、光ファイバ収容部４は、円形ガイドＧ４１及びＧ４２、ガイドＧ４３及びＧ４４の外周面から外側に突き出した突起４１を有する。また、円形ガイドＧ４１及びＧ４２、ガイドＧ４３及び４４を囲むように形成された外枠部には、内側に突き出した突起４１が設けられる。突起４１は、下側に光ファイバが挿通可能に構成される。これにより、たわみやねじれなどにより、巻き取られた光ファイバが光ファイバ収容部４の外部に飛び出すことを防止できる。これにより、光ファイバをより確実に光ファイバ収容部４に収容するとともに、ガイドから光ファイバが外れてしまう事態を防止することができる。なお、光ファイバ収容部３にも同様の突起を設けてもよいことは、いうまでもない。
【００３２】
また、突起４１の下部には、開口部４２が設けられてもよい。開口部４２の開口幅Ｗ１は、突起４１の幅Ｗ２よりも広いことが望ましい。この場合、突起４１で押さえられた光ファイバが下側にたわむことができ、光ファイバの収容が容易となる。また、光ファイバ収容部４の底面と突起４１の下面との間の距離が短い場合でも、開口部４２を設けることで、光ファイバを挿通させる空間を確保することが可能となる。
【００３３】
なお、光ファイバは、開口部４２を通って、光ファイバ収容部４の下方に引き出され、又は、光ファイバ収容部４の下方から光ファイバが入って円形ガイドに巻き取られる構成としてもよい。これによれば、光ファイバ収容部４の下方に位置する部品に対する光配線をより容易に行うことができる。よって、光ファイバ収容部４及び他の部品の配置の自由度を高めることが可能となる。
【００３４】
以上、本構成によれば、プラガブル光モジュール１００の内部における光配線に用いる光ファイバを他の部品と干渉することなく収容できることが理解できる。なお、光ファイバ収容部３及び４は、例えば、樹脂又は金属によって形成される。
【００３５】
続いて、プラガブル光モジュール１００の基本的な構造について説明する。図７は、実施の形態１にかかる光通信システム１０００の構成を模式的に示すブロック図である。図７に示すように、プラガブル光モジュール１００は、光ファイバＦ１１及びＦ１２の端部に設けられたコネクタ部が挿抜可能に構成される。光ファイバＦ１１及びＦ１２のコネクタとしては、例えばＬＣ型コネクタやＭＵ型コネクタを用いることができる。プラガブル光モジュール１００は、通信ホスト装置である光通信装置２０から入力される制御信号ＣＯＮに基づいて制御される。プラガブル光モジュール１００は、制御信号ＣＯＮとともに、光通信装置２０からデータ信号である変調信号ＭＯＤを受信することも可能である。この場合、プラガブル光モジュール１００は、受信した変調信号ＭＯＤに基づいて変調した光信号ＬＳ１（第１の光信号とも称する）を、光ファイバＦ１１を介して出力することができる。また、プラガブル光モジュール１００は、光ファイバＦ１２を介して外部から受信した光信号ＬＳ２（第２の光信号とも称する）を復調したデータ信号ＤＡＴを、光通信装置へ出力することができる。
【００３６】
光通信装置２０は、例えば、プラガブル光モジュール１００からの通信データ信号又はプラガブル光モジュール１００に入力する通信データ信号のフレーム処理等の通信データ処理を行う。光通信装置２０は、例えば、局舎に収容される光伝送装置であり、また、ラックやボックスに挿入されるラインカードのようなものであってもよい。この場合、ラインカードはプラガブル光モジュール１００のレセプタを有する。
【００３７】
プラガブル光モジュール１００は、プラガブル電気コネクタ１、プラガブル光レセプタ２、光ファイバ収容部３及び４、制御部１１、光源１２、分岐部１３、変調器１４、受信器１５、エルビウム添加光ファイバ増幅器（ＥＤＦＡ：Erbium Doped optical Fiber Amplifier）１６、励起光源１７及び光減衰器１８を有する。
【００３８】
プラガブル電気コネクタ１は、光通信装置２０に挿抜可能なＩ／Ｏ（Input/Output）ポートとして構成される。光通信装置２０からは、プラガブル電気コネクタ１を介して、電気信号である制御信号ＣＯＮが制御部１１へ出力され、電気信号である変調信号ＭＯＤが変調器１４へ出力される。また、受信器１５からは、プラガブル電気コネクタ１を介して、データ信号ＤＡＴが光通信装置２０へ出力される。
【００３９】
プラガブル光レセプタ２は、光ファイバＦ１１及びＦ１２のコネクタが挿抜可能に構成される。光信号ＬＳ１は、プラガブル光レセプタ２を介して、光ファイバＦ１１に送出される。光ファイバＦ１２を伝搬してプラガブル光モジュール１００に入力される光信号ＬＳ２は、プラガブル光レセプタ２を介して、受信器１５に入力される。なお、プラガブル光レセプタ２を単一の部品として説明したが、当然のことながら、光ファイバＦ１１が挿抜可能なプラガブル光レセプタと光ファイバＦ１２が挿抜可能なプラガブル光レセプタとが分離して設けられてもよい。
【００４０】
制御部１１は、制御信号ＣＯＮに応じて、プラガブル光モジュール１００の各部、すなわち、光源１２、変調器１４、受信器１５、励起光源１７及び光減衰器１８の動作を制御可能に構成される。この例では、制御部１１は、制御信号ＣＯＮに応じて制御信号ＣＯＮ１〜ＣＯＮ５を生成し、制御信号ＣＯＮ１〜ＣＯＮ５を、例えばプラガブル電気コネクタ１を介して、それぞれ光源１２、変調器１４、受信器１５、励起光源１７及び光減衰器１８へ出力する。
【００４１】
光源１２は、制御信号ＣＯＮ１に応じて決定された波長の光を出力する波長可変光源（例えば、ＩＴＬＡ：Integrated Tunable Laser Assembly）として構成される。光源１２は、例えば、半導体光増幅器と波長フィルタとを有する光源ユニットとして構成してもよい。
【００４２】
分岐部１３は、光源１２が出力した光Ｌ１を、光Ｌ２と局部発振光ＬＯとに分岐する。分岐部１３としては、Ｙ分岐、ビームスプリッタ、プリズムなどの入射する光を分岐できる各種の光学部品を用いてもよい。
【００４３】
変調器１４は、光通信装置２０からプラガブル電気コネクタ１を介して入力される変調信号ＭＯＤに基づいて、分岐部１３で分岐された光Ｌ２を変調し、変調光を光信号ＬＳ１として出力する。変調器１４の動作は、制御部１１から入力される制御信号ＣＯＮ２に基づいて制御される。これにより、変調器１４は、光Ｌ２の波長に応じた適切な変調動作を行うことができる。
【００４４】
変調器１４は、例えばマッハツェンダ光変調器として構成してもよい。変調器１４をマッハツェンダ光変調器として構成した場合、マッハツェンダ光変調器の光導波路に設けられた位相変調領域に変調信号ＭＯＤに応じた信号を印加することで、光Ｌ２を変調することができる。変調器１４は、位相変調、振幅変調、偏波変調などの各種の変調方式で、又は、各種の変調方式を組み合わせて光Ｌ２を変調することができる。ここで、マッハツェンダ型光変調器は、例えば、半導体光変調器等である。
【００４５】
上述の位相変調領域とは、光導波路上に形成された電極を有する領域である。位相変調領域の電極に電気信号、例えば電圧信号が印加されることにより、電極下の光導波路の実効屈折率が変化する。その結果、位相変調領域の光導波路の実質的な光路長を変化させることができる。これにより、位相変調領域の光導波路を伝搬する光信号の位相を変化させることができる。マッハツェンダ変調器では、２本の光導波路の間を伝搬する光信号間に位相差を与えて、その後２つの光信号を合波することで、合波後の光信号を変調することができる。
【００４６】
受信器１５は、例えば、ＤＰ−ＱＰＳＫ（Dual-Polarization Quadrature Phase-Shift Keying）光信号を電気信号に復調するデジタルコヒーレント受信を行う受信器（例えば、ＩＣＲ：Integrated Coherent Receiver）として構成される。受信器１５は、光ファイバＦ１２を介して外部から受信した光信号ＬＳ２を、局部発振光ＬＯと干渉させることで復調を行う。受信器１５は、復調された電気信号であるデータ信号ＤＡＴを、プラガブル電気コネクタ１を介して光通信装置２０へ出力する。受信器１５は、制御部１１が出力する制御信号ＣＯＮ３によって制御され、光信号ＬＳ２（ないしは局部発振光ＬＯ）の波長に応じた最適な復調動作を行うことができる。
【００４７】
ＥＤＦＡ１６は、ファイバ型光増幅器であり、変調器１４から出力された光信号ＬＳ１を増幅し、増幅した光信号ＬＳ１を出力する。
【００４８】
励起光源１７は、ＥＤＦＡ１６を励起するための励起光Ｌｅを、ＥＤＦＡ１６へ出力する。励起光源１７の動作は、制御部１１が出力する制御信号ＣＯＮ４によって制御される。
【００４９】
光減衰器１８（第１の光減衰器とも称する）は、光信号ＬＳ１を減衰させる可変光減衰器（ＶＯＡ：Variable Optical Attenuator）として構成される。この可変光減衰器（ＶＯＡ）は、例えば利得制御によって出力する光のパワーを制御可能な半導体光増幅器（Semiconductor Optical Amplifier）や物理的に光を遮るシャッターなどで実現されてもよい。換言すれば、ここでいう光減衰器１８とは、上述の半導体光増幅器やシャッターなどの、出力する光のパワーを制御する又は遮ることができる光パワー調整部として機能し得る各種の光学部品を含む。これにより、光信号ＬＳ１の光強度（光パワー）を所望の値に調整することができる。光減衰器１８の動作は、制御部１１が出力する制御信号ＣＯＮ５によって制御される。光減衰器１８を通過した光信号ＬＳ１は、プラガブル光レセプタ２を介して光ファイバＦ１２に出力される。
【００５０】
光ファイバ収容部３は、プラガブル光レセプタ２と光減衰器１８との間を接続する光ファイバＦ１を収容するように構成される。つまり、光減衰器１８は、上述の光部品５に対応している。
【００５１】
光ファイバ収容部４は、プラガブル光レセプタ２と受信器１５との間を接続する光ファイバＦ２を収容するように構成される。つまり、受信器１５は、上述の光部品６に対応している。
【００５２】
一般に、デジタルコヒーレント光通信の用に供するプラガブル光モジュールでは、上述の通り、筐体１０の内部に複数の光部品を搭載する必要があるだけでなく、プラガブル光モジュールの寸法の小型化が強く求められる。そのため、比較的狭小な筐体に複数の部品を収め、かつ、必要に応じて、光ファイバを用いて部品間を接続する必要がある。しかし、部品の取り付け位置のばらつきや、光ファイバの切断長さのばらつきなどで、最適な長さ光ファイバを用途ごとに準備することは困難であり、実現できたとしても工数の増大を招くこととなる。しかし、本構成によれば、要求される長さに対して、余裕のある長さの光ファイバを用いて光部品間を接続するとともに、光ファイバ収容部によって光ファイバの余長を収容できる。これにより、部品の取り付けばらつきやファイバの切断バラつきなどの影響を受けることなく、容易にプラガブル光モジュール内で光ファイバを用いた光配線を行うことができる。
【００５３】
また、本構成では、プラガブル光モジュール内で用いる光ファイバの長さに余裕が有るので、光ファイバ収容部を介して光ファイバを取り回す場合に、光ファイバに不要な緊張（テンション）が加わることを防止できる。これにより、プラガブル光モジュール作製工程における光ファイバの破損を防止できるので、製造歩留まり向上の観点から有利であることが理解できる。
【００５４】
また、本構成によれば、光ファイバ収容部が他の部品と干渉することもなく、かつ、収容された位置からずれたりすることもないので、収容後の光ファイバが他の部品と接触して破損するといった事態も防止することができる。これにより、プラガブル光モジュールを他の装置に挿抜するときの振動や衝撃が生じても光ファイバは破損しないので、運用中のプラガブル光モジュール１００の故障を防止する観点から有利であることが理解できる。
【００５５】
また、本構成では、プレート状の光ファイバ収容部内に光ファイバを環状に収容できるため、光ファイバ収容部の厚みを抑制することができる。よって、筐体内の狭小な空間に光ファイバ収容部を設けることができる。したがって、プラガブル光モジュールの小型化の観点から有利であることが理解できる。
【００５６】
本実施の形態では、光ファイバ収容部を２つ設ける例について説明したが、３つ以上の光ファイバ収容部を設けてもよい。このように、光ファイバ収容部を複数設けることで、プラガブル光モジュール１００の筐体内の光部品の配置又は数を変更する場合でも、複数の光ファイバ収容部のうち、一部の光ファイバ収容部の設計を変更するのみで対応することができる。これにより、プラガブル光モジュールの設計変更に対する柔軟性を確保でき、かつ、プラガブル光モジュールの他品種化に対応できる点で有利である。
【００５７】
例えば、プラガブル光モジュールの設計変更によって筐体内の光部品の配置又は数を変更する場合、変更が必要な光ファイバ収容部のみを交換すればよく、製造工程の変更を小さくすることができる。
【００５８】
また、プラガブル光モジュールを他品種化した場合、筐体内の光部品の配置は、品種間で共通する部分と、品種間で異なる部分とが存在することが想定される。この場合、共通部分の光配線に用いる光ファイバの収容には共通の光ファイバ収容部を用い、異なる部分の光配線に用いる光ファイバの収容には、それぞれ異なる形状を有する光ファイバ収容部を用いればよい。これにより、品種間における工程の相違を最小化することができるので、リードタイムの短縮や製造コストの抑制を実現できる。
【００５９】
加えて、光ファイバ収容部による光ファイバの収容が伴う光部品間の光配線作業を、光ファイバ収容部ごとに分けて並行して行うことが可能となるので、光配線作業に要する時間を低減することも可能となる。
【００６０】
実施の形態２
実施の形態２にかかるプラガブル光モジュール２００について説明する。実施の形態２にかかるプラガブル光モジュール２００は、実施の形態１にかかるプラガブル光モジュール１００の変形例であり、光ファイバ収容部３にＥＤＦＡ１６を構成する光ファイバ（ＥＤＦ）が収容されている。
【００６１】
図８は、実施の形態２にかかるプラガブル光モジュール２００の構成を模式的に示すブロック図である。プラガブル光モジュール２００は、ＥＤＦＡ１６を構成するＥＤＦが、光ファイバ収容部３に収容される。プラガブル光モジュール２００のその他の構成は、プラガブル光モジュール１００と同様であるので説明を省略する。
【００６２】
デジタルコヒーレント通信に供されるプラガブル光モジュールは、図７に示したように、出力する光信号ＬＳ１の光出力を確保するために、ＥＤＦＡが実装される場合がある。このため、ＥＤＦＡ及びＥＤＦＡへ励起光を入力する励起光源の追加により、プラガブル光モジュールの筐体内での光部品実装はより高密度化する。さらに、ＥＤＦＡは、一般に、数ｍないし数十ｍ程度のＥＤＦを有する。そのため、プラガブル光モジュールでは、長寸法のＥＤＦを筐体内に他の光部品などと干渉することなく収める必要がある。
【００６３】
これに対し、本構成では、光ファイバ収容部３でＥＤＦを複数回周回させることで、ＥＤＦを光ファイバ収容部３にコンパクトに収納することができる。この際、ＥＤＦを予め定められた寸法、形状で巻き取り、巻き取ったＥＤＦを光ファイバ収容部にはめ込むことで、ＥＤＦを容易に収納できる。これにより、ＥＤＦＡを用いる場合でも、ＥＤＦＡを構成するＥＤＦの破損を防止しつつ、ＥＤＦＡをプラガブル光モジュール内にコンパクトに収容できることが理解できる。
【００６４】
実施の形態３
実施の形態３にかかるプラガブル光モジュール３００について説明する。プラガブル光モジュール３００は、実施の形態２にかかるプラガブル光モジュール２００の光ファイバ収容部３を光ファイバ収容部８に置換した構成を有する。以下、光ファイバ収容部８について説明する。
【００６５】
図９は、実施の形態３にかかる光ファイバ収容部８の構成を模式的に示す斜視図である。光ファイバ収容部８は、光ファイバ収容部３にスプライス収納部８Ａを追加した構成を有する。図１０は、実施の形態３にかかる光ファイバ収容部８の光ファイバの収容態様を示す斜視図である。本実施の形態では、光ファイバＦが収容される空間の下に、スプライス収納部８Ａが設けられている。
【００６６】
光ファイバＦは、２本の光ファイバを接合した部分にスプライス部ＳＰが設けられる。スプライス部ＳＰは、一般に、２本のファイバの接合部を補強スリーブで覆うことで補強されている。スプライス収納部８Ａは、例えばスプライス部ＳＰのスリーブをはめ込む溝が設けられる。図９及び１０に示すように、Ｙ方向に延在する溝にスプライス部ＳＰをはめ込むことで、スプライス部ＳＰを固定することができる。
【００６７】
一般に、スプライス部を有する光ファイバでは、スプライス部のファイバ接合部は他の部位と比べて引っ張りや曲げに対する機械的強度が小さくなってしまう。そこで、本構成では、スプライス収納部８Ａによってスプライス部ＳＰを固定することで、光ファイバに力がかかった場合のスプライス部ＳＰの動きを抑制し、光ファイバ接合部にかかる負担を軽減できる。その結果、光ファイバの引き回し、光ファイバ収容部の取り付けなどの際に光ファイバに力が加わっても、光ファイバの断線を防止することが可能となる。
【００６８】
スプライス部は、光ファイバの整合部分を所定の長さにわたって保護するものである。そのため、スプライス収納部は、スプライス部を収納するに足る長さを有する必要がある。本実施の形態にかかる光ファイバ収容部８は、所定の曲率以上の曲率で複数回周回する光ファイバＦを収容するための面積をＸ−Ｙ平面において有している。これを利用して、光ファイバＦとスプライス部ＳＰとが、光ファイバＦの周回の軸方向（Ｚ方向）に積層されるようにスプライス収納部８Ａを設けることで、光ファイバ収容部８のＸ−Ｙ平面における面積を増加させることなくスプライス部を収納できる。よって、本構成によれば、プラガブル光モジュールの小型を実現しつつ、光ファイバ収容部にスプライス部を収納することができる。
【００６９】
上述では、スプライス収納部８Ａが延在する方向、すなわち長手方向をＹ方向としたが、スプライス収納部８Ａの長手方向はＸ方向でもよく、Ｘ−Ｙ平面に平行な任意の方向（すなわち、光ファイバＦの周回の軸方向に垂直な平面に対して平行な方向）としてもよい。また、長手方向が同じ、又は、長手方向が異なる複数のスプライス収納部を設けてもよい。また、スプライス収納部が許容できるならば、任意の個数のスプライス部をスプライス収納部に収納してもよい。
【００７０】
以下、スプライス収納部の配置例について説明する。図１１は、光ファイバ収容部８の変形例である光ファイバ収容部８１の構成を模式的に示す斜視図である。光ファイバ収容部８ではスプライス収納部８ＡがＹ方向に延在し、Ｙ方向を長手方向とするスプライス部ＳＰが光ファイバ収容部８に収納されていた。これに対し、図１１の光ファイバ収容部８１では、スプライス収納部８Ａに代えて、Ｘ方向に延在するスプライス収納部８Ｂが光ファイバＦの周回の軸方向（Ｚ方向）に積層されるように設けられている。そして、Ｘ方向を長手方向とするスプライス部ＳＰが光ファイバ収容部８１に収納される。よって、スプライス収納部の長手方向がＸ方向の場合でも、図９及び図１０の例と同様に、光ファイバ収容部８１のＸ−Ｙ平面における面積を増加させることなくスプライス部を収納できる。
【００７１】
図１２は、光ファイバ収容部８の変形例である光ファイバ収容部８２の構成を模式的に示す斜視図である。図１２に示すように、光ファイバ収容部８２では、図９及び図１０に示すスプライス収納部８Ａと図１１に示すスプライス収納部８Ｂとが、光ファイバＦの周回の軸方向（Ｚ方向）に積層されるように設けられている。よって、光ファイバ収容部８２のＸ−Ｙ平面における面積を増加させることなく、より多くのスプライス部を収納することが可能となる。
【００７２】
上述では、スプライス収納部にスプライス部が収納されるものとして説明したが、光ファイバの接合部は例えばコネクタなどの他の接続方法によって接続された光ファイバの接続部が収納されてもよい。換言すれば、スプライス収納部を含む接続部の収納部に、任意の接続方法で接続された光ファイバの接続部が収納されてもよい。
【００７３】
さらに、本実施の形態では、光ファイバ収容部８にスプライス収納部８Ａが設けられるもとして説明したが、光ファイバ収容部４を含む他の光ファイバ収容部に同様のスプライス収納部を設けてもよい。
【００７４】
実施の形態４
実施の形態４にかかるプラガブル光モジュール４００について説明する。プラガブル光モジュール４００は、実施の形態１にかかるプラガブル光モジュール１００の変形例であり、光ファイバ収容部３及び４の他にも、筐体１０内部の光ファイバをガイドするための構成が追加されている。
【００７５】
図１３は、実施の形態４にかかるプラガブル光モジュール４００の内部構造を模式的に示す斜視図である。図１３に示すように、プラガブル光モジュール４００では、光部品６が筐体１０内部の上側（Ｚ＋側）に設けられている。光部品６と光ファイバ収容部４との間を結ぶ光ファイバＦ２は、筐体１０に固定されたガイド治具１０Ａのスロープに設けられた溝に沿って引き回される。これにより、縦方向（Ｚ方向）において高低差がある光部品６と光ファイバ収容部４との間を結ぶ光ファイバを許容範囲内の曲率で曲げつつガイドすることができる。また、光ファイバＦ２は、ガイド治具１０Ａの溝によって位置が固定されるので、光ファイバＦ２が他の光部品等に干渉して破損することを防止することができる。
【００７６】
また、筐体１０内部の上側（Ｚ＋側）には、光ファイバ収容部４から延びる光ファイバＦ３をガイドするための溝１０Ｂが設けられている。なお、溝１０Ｂは、ガイド治具１０Ａと同様に、ガイド治具の一例である。これにより、光ファイバＦ３を許容範囲内の曲率で曲げつつガイドすることができる。また、光ファイバＦ３は、溝１０Ｂによって位置が固定されるので、光ファイバＦ３が他の光部品等に干渉して破損することを防止することができる。
【００７７】
なお、ガイド治具１０Ａは、筐体１０に固定可能な筐体１０と物理的に分離した部材として構成されてもよいし、筐体１０の一部分として構成されてもよい。溝１０Ｂは、筐体１０に形成されてもよいし、筐体１０に固定可能な筐体１０と物理的に分離した部材に形成された溝であってもよい。さらに、ガイド治具１０Ａ及び溝１０Ｂが形成されたガイド治具は、光ファイバ収容部３及び４の一方又は両方に固定可能に構成されてもよい。
【００７８】
上述では、ガイド治具１０Ａと溝１０Ｂとは１つずつ設けられているが、任意のガイド治具が２つ以上設けられてもよく、溝も２本以上設けられてもよい。また、ガイド治具を複数設ける場合、ガイドされる光ファイバの曲率は同じであってもよいし、異なっていてもよい。また、溝を複数設ける場合、ガイドされる光ファイバの曲率は同じであってもよいし、異なっていてもよい。
【００７９】
さらに、ガイド治具１０Ａと同様の構造及び溝１０Ｂと同様の構造が、光ファイバ収容部３及び４、プリント回路基板７などの他の部品に設けられてもよいことは言うまでもない。
【００８０】
次いで、プラガブル光モジュール４００の変形例について説明する。図１４は、実施の形態４にかかるプラガブル光モジュールの４００の変形例であるプラガブル光モジュールの４０１の内部構造を模式的に示す斜視図である。プラガブル光モジュールの４０１では、光部品６が実装治具９に搭載されている。
【００８１】
光部品６が搭載された実装治具９は、一部がガイド治具と嵌合可能に構成されている。具体的には、ガイド治具１０Ａから実装治具９へ向けてＸ方向に沿って延在する突出部１０Ｃには、Ｚ方向に延在するピン１０Ｄが設けられている。実装治具９には、ピン１０Ｄが挿通可能な孔が設けられている。ピン１０Ｄが実装治具９の孔に挿通されることで、実装治具９とガイド治具１０Ａとの間の相対的な位置が固定される。
【００８２】
これにより、光部品６と光ファイバ収容部４との間の光ファイバＦ２の位置が固定されるので、光ファイバＦ２が他の光部品等に干渉して破損することをより確実に防止することができる。
【００８３】
その他の実施の形態
なお、本発明は上記実施の形態に限られたものではなく、趣旨を逸脱しない範囲で適宜変更することが可能である。例えば、光ファイバ収容部は、例えば、熱伝導性が高い材料で構成されることが望ましい。この場合、光ファイバ収容部の近傍に実装される他の部品やプリント回路基板の放熱に寄与することができるので、放熱性能の向上を実現することができる。これにより、回路の熱暴走を抑止することができる。
【００８４】
上述の実施の形態で参照した図においては、プラガブル光モジュールに設けられた構成要素間、及び、光通信システムに設けられた構成要素（プラガブル光モジュール及び光通信装置）間での信号伝達を矢印で表したが、これは２つの構成要素間で一方向のみに信号が伝達されることを意味するものではなく、適宜双方向の信号のやり取りが可能であることは言うまでもない。
【００８５】
上述の実施の形態において、変調器への戻り光を防止するため、変調器とＥＤＦＡとの間にアイソレータが挿入されてもよい。
【００８６】
分岐部１３は、光源１２、変調器１４及び受信器１５から独立したものとして説明したが、これは例示に過ぎない。例えば、分岐部１３は、光源１２に組み込まれていてもよい。また、分岐部１３は、変調器１４に組み込まれていてもよい。この場合、光Ｌ１は変調器１４に入力され、変調器１４内部の分岐部１３で分岐され、分岐された局部発振光ＬＯが受信器１５に入力される。更に、分岐部１３は、受信器１５に組み込まれていてもよい。この場合、光Ｌ１は受信器１５に入力され、受信器１５内部の分岐部１３で分岐され、分岐された光Ｌ２が変調器１４に入力される。
【００８７】
上述の実施の形態においては、制御部１１は、光通信装置２０からの制御信号ＣＯＮに応じて、光源、光変調器、受信器、励起光源及び光減衰器が制御される例についても説明したが、外部からの制御信号によらず、自律的に光源、光変調器、受信器、励起光源及び光減衰器を制御することもできる。
【００８８】
上述の実施の形態において、プラガブル電気コネクタ１を介した制御信号のやり取りは、ＭＤＩＯ（Ｍａｎａｇｅｍｅｎｔ  Ｄａｔａ  Ｉｎｐｕｔ／Ｏｕｔｐｕｔ）やＩ２Ｃ（Ｉｎｔｅｒ−Ｉｎｔｅｇｒａｔｅｄ  Ｃｉｒｃｕｉｔ）といった技術を適用することで実現することができる。
【００８９】
上述の実施の形態においては、受信器１５は、ＤＰ−ＱＰＳＫ光信号を受信するものとして説明したが、これは例示に過ぎない。例えば、ＱＡＭ（quadrature amplitude modulation）等の他の変調信号を受信可能に構成されてもよい。
【００９０】
上述の実施の形態においては、光源１２を半導体光増幅器と波長フィルタとで構成するものとして説明したが、波長可変光源として機能するならば他の構成とすることができる。例えば、光源１２は、ＤＦＢ（Distributed FeedBack）レーザアレイと、ＤＦＢレーザアレイに含まれる複数のＤＦＢレーザからのレーザ光を選択する選択部とで構成されてもよい。また、ＤＦＢ（Distributed FeedBack）レーザアレイに代えて、ＤＢＲ（Distributed Bragg Reflector）レーザなどの他の種類のレーザで構成されるレーザアレイを用いてもよい。
【００９１】
以上、実施の形態を参照して本願発明を説明したが、本願発明は上記によって限定されるものではない。本願発明の構成や詳細には、発明のスコープ内で当業者が理解し得る様々な変更をすることができる。
【００９２】
この出願は、２０１７年８月２９日に出願された日本出願特願２０１７−１６４６２５を基礎とする優先権を主張し、その開示の全てをここに取り込む。
【符号の説明】
【００９３】
ＣＯＮ、ＣＯＮ１−ＣＯＮ５  制御信号
ＤＡＴ  データ信号
Ｆ、Ｆ１−Ｆ３、Ｆ１１、Ｆ１２  光ファイバ
Ｇ３１、Ｇ３２、Ｇ４３、Ｇ４４  ガイド  
Ｇ４１、Ｇ４２  円形ガイド
Ｌ１、Ｌ２        光
ＬＯ  局部発振光
ＬＳ１、ＬＳ２  光信号
Ｌｅ  励起光
ＭＯＤ  変調信号
ＳＰ  スプライス部
１  プラガブル電気コネクタ
２  プラガブル光レセプタ
３、４、８、８１、８２  光ファイバ収容部
５、６  光部品
７  プリント回路基板
８Ａ、８Ｂ  スプライス収納部
９  実装治具
１０  筐体
１０Ａ  ガイド治具
１０Ｂ  溝
１０Ｃ  突出部
１０Ｄ  ピン
１１  制御部
１２  光源
１３  分岐部
１４  変調器
１５  受信器
１６  ＥＤＦＡ
１７  励起光源
１８  光減衰器
２０  光通信装置
３０、４０  プレート部材
４１  突起
４２  開口部
１００、２００、３００、４００  プラガブル光モジュール
【図１】
2019044442.tif 000003
【図２】
2019044442.tif 000004
【図３】
2019044442.tif 000005
【図４】
2019044442.tif 000006
【図５】
2019044442.tif 000007
【図６】
2019044442.tif 000008
【図７】
2019044442.tif 000009
【図８】
2019044442.tif 000010
【図９】
2019044442.tif 000011
【図１０】
2019044442.tif 000012
【図１１】
2019044442.tif 000013
【図１２】
2019044442.tif 000014
【図１３】
2019044442.tif 000015
【図１４】
2019044442.tif 000016
【国際調査報告】
2019044442.tif 000017
2019044442.tif 000018
2019044442.tif 000019
2019044442.tif 000020